(57)【要約】  いくつかの連結されたフレームモジュールから形成される浮体可能なフレーム構造体であって、フレームモジュールは、実質的に垂直に配置される４つの柱と、４つの上側タイバーと、４つの下側タイバーと、から形成され、隣接する柱は、上側タイバーと下側タイバーによって対で相互接続され、モジュール部分を形成し、タイバーと柱との間の接続は、柱の上側接続点と下側接続点に配置される回転継手により形成され、関連付けられたタイバーに関連して各柱に配置される少なくとも１つの水平回転継手があり、関連付けられた柱に関連して各タイバーに配置される、少なくとも１つの球面回転継手または弾性回転継手があり、各モジュール部分には、上側接続点と下側接続点とが斜めに対向するように固定される弾性引張要素が設けられ、同一水平面および同一フレームモジュールに互いに斜めに対向して位置する接続点は、弾性引張要素によって接続され、少なくともいくつかの柱は、正浮力を有する水中部分を有する容器を形成し、隣接するフレームモジュールは、少なくとも１つの柱を共有する、浮体可能なフレーム構造体である。
2020507516.tif 000002
【特許請求の範囲】
【請求項１】
いくつかの連結されたフレームモジュール（１）から形成される浮体可能なフレーム構造体であって、
前記フレームモジュール（１）は、実質的に垂直に配置される４つの柱（１１ａ、１１ｂ、１１ｃ、１１ｄ）と、４つの上側タイバー（１２ａ）と、４つの下側タイバー（１２ｂ）と、から形成され、
隣接する柱（１１ａ、１１ｂ；１１ｂ、１１ｃ；１１ｃ、１１ｄ；１１ｄ、１１ａ）は、上側タイバー（１２ａ）と下側タイバー（１２ｂ）によって対で相互接続され、モジュール部分（１ａ、１ｂ、１ｃ、１ｄ）を形成し、
前記タイバー（１２ａ、１２ｂ）と前記柱（１１ａ、１１ｂ、１１ｃ、１１ｄ）との間の接続は、前記柱（１１ａ、１１ｂ、１１ｃ、１１ｄ）の上側接続点（１４ａ）と下側接続点（１４ｂ）に配置される回転継手（Ｊ１、Ｊ２）により形成され、
関連付けられたタイバー（１２ａ、１２ｂ）に関連して各柱（１１ａ、１１ｂ、１１ｃ、１１ｄ）に配置される少なくとも１つの水平回転継手（Ｊ１）があり、
関連付けられた柱（１１ａ、１１ｂ、１１ｃ、１１ｄ）に関連して各タイバー（１２ａ、１２ｂ）に配置される、少なくとも１つの球面回転継手（Ｊ２）または弾性回転継手（Ｊ３）があり、
各モジュール部分（１ａ、１ｂ、１ｃ、１ｄ）には、上側接続点（１４ａ）と下側接続点（１４ｂ）とが斜めに対向するように固定される弾性引張要素（１３）が設けられ、
同一水平面および同一フレームモジュール（１）に互いに斜めに対向して位置する接続点（１４ａ、１４ｂ）は、弾性引張要素（１３）によって接続され、
少なくともいくつかの柱（１１ａ、１１ｂ、１１ｃ、１１ｄ）は、正浮力を有する水中部分を有する容器を形成し、
隣接するフレームモジュール（１）は、少なくとも１つの柱（１１ａ、１１ｂ、１１ｃ、１１ｄ）を共有する、フレーム構造体。
【請求項２】
請求項１に記載の浮体可能なフレーム構造体であって、少なくともいくつかの前記タイバー（１２ａ、１２ｂ）は、歩道を形成する、フレーム構造体。
【請求項３】
請求項１に記載の浮体可能なフレーム構造体であって、少なくともいくつかの前記タイバー（１２ａ、１２ｂ）は、電源ライン、信号ライン、流体ラインの少なくともいずれかを延長するために配置されるトレイを形成する、フレーム構造体。
【請求項４】
請求項１に記載の浮体可能なフレーム構造体であって、少なくともいくつかの前記柱（１１ａ、１１ｂ、１１ｃ、１１ｄ）の下側部分（１１１）は、広がった断面を有する、フレーム構造体。
【請求項５】
請求項１に記載の浮体可能なフレーム構造体であって、少なくともいくつかの前記柱（１１ａ、１１ｂ、１１ｃ、１１ｄ）にバラストシステム（１１２）を設ける、フレーム構造体。
【請求項６】
請求項１に記載の浮体可能なフレーム構造体であって、少なくともいくつかの前記柱（１１ａ、１１ｂ、１１ｃ、１１ｄ）に少なくとも１つの上下浮動安定器（１１３）をそれぞれ設ける、フレーム構造体。
【請求項７】
請求項６に記載の浮体可能なフレーム構造体であって、前記少なくとも１つの上下浮動安定器（１１３）は、前記柱（１１、１１ａ、１１ｂ、１１ｃ、１１ｄ）から実質的に半径方向に突出する板要素として形成される、フレーム構造体。
【請求項８】
請求項１に記載の浮体可能なフレーム構造体であって、前記弾性回転継手（Ｊ３）は、継手ピン（１７２）を含み、前記継手ピン（１７２）は、タイバー（１２ａ、１２ｂ）の端部から、前記柱（１２ａ、１２ｂ）に固定された板要素（１７１ｃ）の切欠き（１７１ｄ）を通って突出し、前記継手ピン（１７２）上で軸方向に変位可能で、前記板要素（１７１ｃ）に対して支持するように位置する弾性支持要素（１７５、１７５’）により、前記板要素（１７１ｃ）にクランプされる、フレーム構造体。
【請求項９】
請求項１に記載の浮体可能なフレーム構造体であって、球面回転継手（Ｊ２）または弾性回転継手（Ｊ３）を備えるタイバー（１２ａ、１２ｂ）は、長手方向軸を中心として、中心位置から最大±６°のセクターを回転可能である、フレーム構造体。
【請求項１０】
請求項１に記載の浮体可能なフレーム構造体であって、前記弾性引張要素（１３）は、スチールロープまたは合成繊維のロープから形成される、フレーム構造体。
【請求項１１】
請求項１に記載の浮体可能なフレーム構造体であって、前記フレームモジュール（１）のうちの少なくとも１つに、前記柱（１１ａ、１１ｂ、１１ｃ、１１ｄ）のうちの１つに配置される風力タービン（２ａ）を設ける、フレーム構造体。
【請求項１２】
請求項１に記載の浮体可能なフレーム構造体であって、前記フレームモジュール（１）は、四角平面図を有する、フレーム構造体。
【発明の詳細な説明】
【技術分野】
【０００１】
いくつかの連結されたフレームモジュールから形成される浮体可能なフレーム構造体が説明される。
【背景技術】
【０００２】
特に、設備の規模により、船体の形の浮力体または他の浮体物に大きな建築面積および大きな体積を与えることが必要になり、それにともなって大量の水の動きによる影響を受ける広い海面を与えることが必要なとき、海の開水域に配置される浮体式設備は、大きな歪みにさらされる。規模によって、海での建設および場所の移動は、労力と費用を要する。剛性の船体は、荒れた海で大きなひずみを受ける。
【０００３】
他方で、大きく水平に広がる設備は、利点となり得る。洋上風力タービンなどの設備に、関連するヘリポートを設けることで、設備へのアクセスは、一般的に、ボートを使用するアクセスよりも簡単になり、気象条件による影響を受けにくくなる。
【０００４】
特許文献１に記載される半水中風力タービン設備のための六角形支持構造体が既知であるが、その構造体において、各風力タービンは、筒状断面を有する浮力体に取り付けられる。各浮力体は固定され、浮力体は水面下にある格子状の梁により相互接続される。
【０００５】
特許文献２は、三角形モジュールから作られる半水中風力タービン設備を開示し、各接続点には、風力タービンを支持する浮力体がある。浮力体は、中間部でさらなるの浮力体により支持される格子状の梁により、固定および相互接続される。格子状の梁は、水面より上にある。
【０００６】
特許文献３は、漁業用の浮体式養殖設備を開示し、その設備において、接続点で相互接続される控え棒から形成されるかごの中に引き網が吊るされる。垂直の控え棒には、浮力体が設けられる。いくつかの接続点は、斜めの支柱により相互接続される。
【０００７】
特許文献４に記載される漁業用の養殖設備は既知であり、その設備において、フレーム構造体は、接続点において相互接続されるいくつかの細長い要素を含み、要素と接続点は繰り返す三角形を形成する。各細長い要素は水平面および垂直面において接続点を中心として独立して回転可能である。
【０００８】
特許文献５は、所定の横方向の移動を可能にする球面回転継手を開示し、同時にそれは２つの異なる軸を中心として回転可能であるが、第３の軸を中心としてトルクを伝達することができる。
【先行技術文献】
【特許文献】
【０００９】
【特許文献１】中国特許出願公開第１０２５０６０１２号明細書
【特許文献２】中国特許出願公開第１０４０５８０７３号明細書
【特許文献３】国際公開第１９８７０３１７０号明細書
【特許文献４】国際公開第２０１２０９８５６４号明細書
【特許文献５】米国特許第２４７４５２９号明細書
【発明の概要】
【発明が解決しようとする課題】
【００１０】
本発明の目的は、先行技術の少なくとも１つの欠点を改善または軽減させること、または先行技術に対する有用な代替物を少なくとも提供することである。
【課題を解決するための手段】
【００１１】
以下の本明細書およびそれに続く特許請求の範囲に記載される特徴により本発明の目的は達成される。
【００１２】
本発明は、いくつかの連結されたフレームモジュールから作られる浮体可能なフレーム構造体を提供する。各フレームモジュールは、格子状立方体として形成され、４つの垂直の柱が上側タイバーおよび下側タイバーにより相互接続される。隣接するフレームモジュールは、１つ以上の柱を共有する。それにより、大きく水平な広がりを有するが、大量の水の動きによる影響を受ける表面が小さい、浮体可能な弾性フレーム構造体が提供される。
【００１３】
少なくともタイバーのいくつかは、柱と柱の間に歩道、ケーブルトレイなどを形成してもよく、好ましくは、格子構造体として形成される。
【００１４】
タイバーと柱との間の接続点は、２つの異なる種類の回転継手として形成される。１つ目は、ａ）水平回転継手、つまり、柱の中心軸を通る面に対して垂直である回転軸を有し、タイバーの長手方向軸を中心としてトルクを伝達することができる回転継手であり、２つ目は、ｂ）球面継手（玉継手、ピボット軸受継手、ロッドエンド軸受）、つまり、実質的にはトルクを接続された要素に伝達させることなく、継手の制限内で、タイバーの自由回転を可能にする回転継手である。異なる回転継手が以下の原則にしたがって、配置される。
・各柱には、柱がその中心軸の周りを回転することを防ぐための、少なくとも１つの水平回転継手が設けられる。
・各タイバーには、関連付けられた柱との接続を形成し、中心位置からすべての方向に、中心位置から約最大±６°の角度を回転するように配置される、少なくとも１つの球面回転継手が設けられる。
【００１５】
球面回転継手は、球面軸受を適宜含み、球面軸受は、柱の中心軸に垂直な面に配置される中心軸を有し柱に取り付けられる接続軸に配置される。球面軸受を取り囲む接続スリーブは、取り囲んでいるリングを介してタイバーの端部に固定される。リングは球面軸受の中心面に配置される。柱に固定され接続軸と同心円をなす２つの支持スリーブがリングに向かって内側に対称的に突出するように配置され、リングに対する止め面を内向きの端面で形成する。止め面の少なくとも下側セクターおよび上側セクターに低摩擦性の塗装を設けることが好ましい。支持スリーブおよび接続スリーブの間に、弾性パッキンリングを配置することが好ましい。
【００１６】
立方体の同一面上で斜め向かい位置する接続点は、通常、スチールロープの形である、細長い、弾性引張要素によって相互接続される。
【００１７】
柱の下側部分自体が、水中ボリュームを有する容器として形成されるため、いくつかの柱は、浮力体を形成する。いくつかの柱に１つ以上の水中用の浮体物を設けてもよく、および／または柱の下側部分の断面を柱の残りの部分の断面よりも大きく設けてもよい。
【００１８】
フレーム構造体が浮体して、荷重、風、波応力の変化に影響を受けるとき、各フレームモジュールは、「持ちこたえられる」、つまり、その形を変化させることができる格子構造の部分を形成する。これは、タイバーおよび柱の間の上述した回転継手による接続によって可能になる。異なる回転継手が、柱を実質的に平行に保つシステム内に配置される一方、同時に、斜めの引張要素の弾性のみにより制限されて各柱が垂直方向に移動することができる。
【００１９】
上側タイバーと下側タイバーで回転継手を介して相互接続される２つの隣接する柱によって、モジュール部分が形成される。１つの柱にある上側接続点と対向する柱の下側接続点との間に斜めに延びる、弾性引張要素がある。各柱は、２つの隣接するモジュール部分の一部を構成する。モジュール部分の４つすべての回転継手は、上記の基準に基づき選択され、柱を同時に平行に保ちつつ、柱の垂直方向の変位を可能にする。柱の個別の垂直方向の変位によって、変化し隣接する柱同士の間で水平方向の距離が生じる。斜めに対向する柱と柱の間の水平方向の距離もまた、フレームモジュール内に水平に位置する引張要素の弾性によって設定される制限内で変化してもよい。
【００２０】
フレーム構造体は、風力タービンを保持するためのタワーを形成する１つ以上の柱を含んでもよい。柱の寸法は、強度、高さ、断面、および浮力を考慮して支える荷重に適合される。
【００２１】
少なくともいくつかの柱に、通常ポンプの形のバラストのための手段と、柱の好ましくは下側部分に配置される１つ以上のバラストタンクを満たし空にするパイプシステムとを設けてもよい。
【００２２】
大量の水の波により影響を受ける場合に柱の垂直方向の変位を減少させるために、柱から実質的に放射状に突出する、１つ以上の板要素の形の上下浮動安定器を柱に設けることが有利である。
【００２３】
フレーム構造体には、例えば、ヘリコプター着陸用プラットフォーム、アンカーハンドリング設備、機器用ハウジング、周波数変換機、電気変圧器、蓄電池、フレーム構造体などに関連する作業に関して使用される資材のための倉庫などの、フレーム構造体により保持される機器の動作において使用される多くの設備が設けられてもよい。荷重の観点から、設備は、浮力体を形成する柱に中心的に配置されることが有利である。
【００２４】
本発明は独立請求項により定義される。独立請求項は、本発明の有利な実施形態を定義する。
【００２５】
本発明は、より具体的には、いくつかの連結されたフレームモジュールから形成される浮体可能なフレーム構造体であって、フレームモジュールは、実質的に垂直に配置される４つの柱と、４つの上側タイバーと、４つの下側タイバーと、から形成され、隣接する柱は、上側タイバーと下側タイバーによって対で相互接続され、モジュール部分を形成し、タイバーと柱との間の接続は、柱の上側接続点と下側接続点に配置される回転継手により形成され、関連付けられたタイバーに関連して各柱に配置される少なくとも１つの水平回転継手があり、関連付けられた柱に関連して各タイバーに配置される、少なくとも１つの球面回転継手または弾性回転継手があり、各モジュール部分には、上側接続点と下側接続点とが斜めに対向するように固定される弾性引張要素が設けられ、同一水平面および同一フレームモジュールに互いに斜めに対向して位置する接続点は、弾性引張要素によって接続され、少なくともいくつかの柱は、正浮力を有する水中部分を有する容器を形成し、隣接するフレームモジュールは、少なくとも１つの柱を共有する、浮体可能なフレーム構造体に関する。
【００２６】
少なくともいくつかのタイバーは、歩道を形成してもよい。
【００２７】
少なくともいくつかのタイバーは、電源ライン、信号ライン、流体ラインの少なくともいずれかを延長するために配置されるトレイを形成してもよい。
【００２８】
少なくともいくつかの柱の下側部分は、広がった断面を有してもよい。
【００２９】
少なくともいくつかの柱にバラストシステムを設けてもよい。それにより海中におけるフレーム構造体の喫水が、載せられる積荷に対して常に調節、調整されてもよい。
【００３０】
少なくともいくつか柱に、少なくとも１つの上下浮動安定器を設けてもよい。少なくとも１つの上下浮動安定器は、柱から実質的に半径方向に突出する板要素として形成されてもよい。
【００３１】
弾性回転継手は、継手ピンを含んでよく、その継手ピンは、タイバーの端部から、柱に固定された板要素の切欠きを通って突出し、継手ピン上で軸方向に変位可能で板要素に対して支持するように位置する弾性支持要素により、板要素にクランプされる。
【００３２】
球面回転継手または弾性回転継手を備えるタイバーは、長手方向軸を中心として中心位置から少なくとも±６°のセクターを回転してもよい。引張要素の弾性を予想される風および波の荷重に適合させて、球面回転継手が最大極限位置に達しないようにすることが有利である。
【００３３】
弾性引張要素は、スチールロープまたは合成繊維のロープから形成されてもよい。
【００３４】
少なくとも１つのフレームモジュールに、柱の１つに配置される風力タービンを設けてもよい。例えば、漁業用いけすなどのフレーム構造体に設置される生産施設は、電気エネルギーを自給自足してもよい。
【００３５】
フレームモジュールは、四角平面図を有してもよい。フレーム構造体を建設するために必要な部品の数は、それによって最小限まで少なくしてもよい。
【００３６】
以下において、好ましい実施形態の例が示され、添付の図面に描かれる。
【図面の簡単な説明】
【００３７】
【図１】垂直回転軸を有するいくつかの風力タービンを備える本発明によるフレーム構造体の基本的な斜視図であり、明らかにするために、フレーム構造体の前部の１つのフレームモジュールのみが完全な数の斜めの引張要素を有する状態で示される。
【図２】２つの隣接するフレームモジュールに属するタイバーを示すフレームモジュールを拡大して示す基本的な図である。
【図３】格子構造として形成されるタイバーを有するフレームモジュールおよび水中の柱部分から突出する上下浮動安定器を備える２つの柱を示す図である。
【図４】図３の第１の部分を示し、タイバーと柱との間の接続を形成する球面回転継手を有する上側接続点および斜めの引張要素のための取り付けを拡大して示す図である。
【図５】図３の第２の部分を示し、水平回転継手を有する上側接続点を示す図である。
【図６】球面回転継手を通る水平軸方向断面を拡大して示す図である。
【図７】弾性継手の垂直断面を示す図である。
【図８】漁業用網いけすを設けたフレーム構造体を縮尺して示す図である。
【発明を実施するための形態】
【００３８】
まず図２を参照する。フレームモジュール１は、立方格子構造として形成され、４つの柱１１ａ、１１ｂ、１１ｃ、１１ｄはそれぞれ、上側接続点１４ａ、下側接続点１４ｂにある相互に平行な上側タイバー１２ａおよび下側タイバー１２ｂによって、最も近い柱に接続される。タイバー１２ａ、１２ｂは、以下に詳細に説明されるシステムにおいて、水平回転継手Ｊ１または球面回転継手Ｊ２（ピボット軸受継手またはロッドエンド軸受継手としても知られる）により各柱１１ａ、１１ｂ、１１ｃ、１１ｄに接続される。一対の柱１１ａ、１１ｂ；１１ｂ、１１ｃ；１１ｃ、１１ｄ；１１ｄ、１１ａおよび上側タイバー１２ａ、下側タイバー１２ｂによりモジュール部分１ａ、１ｂ、１ｃ、１ｄが形成される。隣接するモジュール部分は１つの柱を共有する。各モジュール部分１ａ、１ｂ、１ｃ、１ｄの上側接続点１４ａおよび斜めに対向する下側接続点１４ｂは、例えばスチールロープなどの弾性引張要素１３によって接続される。それに対応して、斜めに対向する柱１１ａ、１１ｃ；１１ｂ、１１ｄの上側接続点１４ａは、対応する弾性引張要素１３によって接続され、斜めに対向する下側接続点１４ｂも同様である。図示されない隣接するモジュール部分に属するタイバーは、鎖線で示される。
【００３９】
柱１１ａ、１１ｂ、１１ｃ、１１ｄがその中心軸を中心として回転することを防ぐために、各柱は、水平回転継手Ｊ１、つまり、回転水平軸のみを中心として回転する回転継手を介して少なくとも１つのタイバー１２ａ、１２ｂと接続される。図２において、水平回転継手Ｊ１は、柱１１ａ、１１ｂ、１１ｃ、１１ｄの上側接続点１４ａに配置される。
【００４０】
タイバー１２ａ、１２ｂおよび柱１１ａ、１１ｂ、１１ｃ、１１ｄの間の残りの連結接続点において、球面回転継手Ｊ２が使用され、つまり、一定限度内ですべての方向に自在に回転可能である。図２において、球面回転継手Ｊ２は、すべての下側接続点１４ｂで使用される。球面回転継手Ｊ２は、通常、球面回転継手Ｊ２の中心位置から±６°のタイバー１２ａ、１２ｂの長手方向軸を中心とした回転を可能にする。球面回転継手Ｊ２は、タイバー１２ａ、１２ｂの重心上に位置するとき、タイバー１２ａ、１２ｂは、例えば波や風など外部荷重によって、長手方向回転軸を中心とするタイバー１２ａ、１２におけるトルクが発生しない限り、中立位置にある。
【００４１】
動作状況において、いくつかの柱、ここに示される２つの柱１１ａ、１１ｃの下側部分１１１は、水中にあり、正浮力を提供する容器を形成する。上記柱１１ａ、１１ｃは、より大きな浮力を提供するための、広がった断面を有する下側部分１１１とともにここに示される。
【００４２】
異なる継手Ｊ１、Ｊ２は、図４、５、６においてより詳細に示される。また、図４および図５において、どのように弾性引張要素１３の端部１３１が柱１１の上側接続点１４ａに固定されるかを示している。
【００４３】
ここで球面回転継手Ｊ２の実施形態が示される図６を参照する。接続軸１６１が、２つのブラケット１６２によって、長手方向軸を有する柱１１の外面から離れて、柱の長手方向軸に垂直な面に、タイバー１２ａ、１２ｂの長手方向軸に垂直に固定される。球面軸受１６３は、接続軸１６１に配置され、ここでは、接続軸１６１に中心を合わせて、中立位置において示される。接続スリーブ１６４は、球面軸受１６３を取り囲む。リング１６５は、接続スリーブ１６４を取り囲む。環状フランジ１６５ａは、リング１６５の外面を形成する。リング１６５は、タイバー１２ａ、１２ｂに取り付けられる。２つの支持スリーブ１６６は、接続軸１６１に同心円状に配置され、それぞれのブラケット１６２に固定され、リング１６５に向かって延び、支持スリーブ１６６の端部１６６ａは、球面回転継手Ｊ２がその中心位置から横向きに回転することを、当接面１６６ａに当たる球面回転継手Ｊ２の極限位置にあるリング１６５によって制限する当接面１６６ａを形成する。支持スリーブ１６６の端部１６６ａは、ここでは、円錐形として示され、十分に大きい当接面を提供するように突出する。低摩擦性の塗装１６６ｂが、当接面１６６ａの少なくとも一部、通常、上側セクターと下側セクターに塗布され、それが極限位置にあるとき、回転継手Ｊ２の摩擦を制限する。球面回転継手Ｊ２は、通常、タイバー１２ａ、１２ｂの長手方向軸を中心とする、球面回転継手Ｊ２の中心位置から±６°までの回転を可能にする。弾性パッキングリング１６７が、支持スリーブ１６６と接続スリーブ１６４との間の環状隙間に配置される。
【００４４】
接続要素の代替的な例示的実施形態は、柱１１と上側タイバー１２ａまたは下側タイバー１２ｂとの間の接続を形成する弾性継手Ｊ３（以下にフレキシ継手としても呼ばれる）の形で図７に示される。第１の切欠き１７１ｄを備える板要素１７１ｃは、柱１１から離れて固定され、板要素１７１ｃは、端壁１７１ａを介して柱１１に形成される継手取り付け部１８に対し当接面を形成する継手ハウジング１７１内で仕切り壁を形成する。継手ハウジング１７１は、いくつかの第１の取り付けボルト１８１を介して継手取り付け部１８に取り付けられる。
【００４５】
板要素１７１ｃは、端壁１７１ａと平行に配置され、継手ハウジング１７１のほぼ中間に固定される。貫通する切欠き１７１ｄは、板要素１７１ｃの中間部分に配置される。
【００４６】
弾性支持要素１７５、１７５’は、板要素１７１ｃの各側面に配置される。板要素１７１ｃから反対を向く端部において、各支持要素１７５、１７５’に、支持要素１７５、１７５’の弾性材料が、例えば接着、加硫によって取り付けられる、通常、金属板の形の支持板１７５ａ、１７５ａ’をそれぞれ設ける。各支持要素１７５、１７５’には、中央開口部１７５ｂを設ける。
【００４７】
継手ハウジング１７１の開口端部１７１ｄは、タイバー１２ａ、１２ｂの端部に面し、そこで、取り付けフランジ１７２ａが設けられる継手ピン１７２は、いくつかの第２の取り付けボルト１７２ｃによってタイバー１２ａ、１２ｂに取り付けられ、板要素１７１ｃの切欠き１７１ｄ、１７１ｂおよび継手ハウジング１７１の端壁１７１ａをそれぞれ通じて、支持要素１７５、１７５’の中央開口部１７５ｂを通じて継手ハウジング１７１に突出する。ナット１７３は、継手ピン１７２のねじ部１７２ｂと係合する。ナット１７３とその最も近くにある弾性支持要素１７５’との間に配置されるワッシャー１７４は、いくつかの第３の取り付けボルト１７４ａによって弾性支持要素１７５’の支持板１７５ａ’に取り付けられる。ナット１７３が、継手ピン１７２のねじ部１７２ｂに取り付けられ、弾性支持要素１７５、１７５’は板要素１７１ｃに対して押し付けられる。支持要素１７５、１７５’に弾性があり、継手ピン１７２と板要素１７１ｃの切欠き１７１ｂとの間に隙間があるため、継手ピン１７２および継手ピン１７２が取り付けられるタイバー１２ａ、１２ｂは、板要素１７１ｃに対して垂直方向から逸脱した方向としてもよい。
【００４８】
ねじれは、弾性支持要素１７５、１７５’の剛性により、減衰される。
【００４９】
特に、タイバー１２ａ、１２ｂがその長手方向軸を中心とした一定のひねりがタイバー１２ａ、１２ｂの支持機能に影響を与えない場合、および、環境的条件などにより、例えば、海水による影響を受ける場合など、継手の機能および耐久性に特に厳しい要件が求められるすべての状況において、弾性継手Ｊ３は、球面回転継手Ｊ２に置き換えてもよい。
【００５０】
図１において、フレーム構造体に配置されるいくつかの設備２が示され、ここでは、建物やヘリコプター着陸用プラットフォームとして模式的に示される。さらに、いくつかの風力タービン２ａが、フレーム構造体の外面に設けられる伸長された柱１１ａに配置される。説明のために、すべての張力要素１３は示されていない。
【００５１】
図３において、水位線３が柱１１ａに示される。水位線３は、通常、下側タイバー１２ｂの約４メートル下にある。
【００５２】
図３において、柱１１ａに配置されるバラストシステム１１２が模式的に示される。
【００５３】
図８において、漁業用網いけす２ｂならびに整備用建物および２つの風力タービン２ａの形をした設備２を保持するフレーム構造体の実施形態が示される。この実施形態において、フレームモジュール１の外部に、可能ならば内部にも、波よけ２ｃ、２ｄを設けることが有利である。図８では、説明のために、１つのフレームモジュール１のみに外部の波よけ２ｃが設けられ、１つのフレームモジュール１に内部の波よけ２ｄが設けられる。説明のために、柱のいくつかのみが浮力体として示される。本実施形態において、フレーム構造体は、先述したよりも深く浮体している。
【００５４】
このタイプのフレーム構造体において、大型船の係留および大型船とフレーム構造体との間で人や積荷の移動を可能にする要素（図示せず）が設置されることもまた明らかである。
【００５５】
上記の実施形態すべてが本発明を例示するが、それに限定されず、当業者は、添付の請求項の範囲を逸脱することなく、多くの代替的実施形態を構成してもよいことに留意するべきである。請求項において、括弧付き参照番号は、限定的なものとしてみなされない。
【００５６】
「を含む（ｃｏｍｐｒｉｓｅ）」という動詞を使用すること、および、それを異なる形式で使用することは、請求項に記載されない要素または工程の存在を除外しない。ある要素の前の「１つの（ａ，ａｎ）」といった不定冠詞は、その要素がいくつか存在することを除外しない。
【００５７】
いくつかの特徴が互いに異なる独立請求項に示されるという事実は、これらの特徴の組み合わせが有利に使用できないことを示すものではない。
【図１】
2020507516.tif 000003
【図２】
2020507516.tif 000004
【図３】
2020507516.tif 000005
【図４】
2020507516.tif 000006
【図５】
2020507516.tif 000007
【図６】
2020507516.tif 000008
【図７】
2020507516.tif 000009
【図８】
2020507516.tif 000010
【国際調査報告】
2020507516.tif 000011
2020507516.tif 000012